(57)【要約】【課題】振動が与えられてもコンバイナの駆動機構を破損しづらくする。【解決手段】コンバイナ収納装置２は、コンバイナ４０を保持するホルダ５１と、第１の固定軸Ｐを中心として回転可能であり、第１の固定軸Ｐが一端部に位置し、ホルダ５１に他端部が接続された第１接続部５３と、第２の固定軸Ｓを中心として回転可能であり、第２の固定軸Ｓが一端部に位置し、ホルダ５１に他端部が接続された第２接続部５４と、を備え、４節リンク機構によって、コンバイナ４０を突出状態から収納状態に至るまで移動させることができ、第２接続部５４を復元力によって引っ張る第１弾性部材５６が設けられ、第１接続部５３に与えられた駆動力によってコンバイナ４０を収納状態から突出状態に遷移させ、前記復元力によってコンバイナ４０を突出状態から収納状態に遷移させる。【選択図】図３
2014125131.tif 000002
【特許請求の範囲】
【請求項１】
表示画像を表す表示光が到達する凹面を有するコンバイナによって前記表示光を集光して視認者に前記凹面側から前記表示画像を視認させるヘッドアップディスプレイ装置の筐体内に、前記コンバイナを収納可能とするコンバイナ収納装置であって、
前記筐体に対して移動可能であって前記コンバイナを保持する保持部と、
前記視認者から見て左右方向に沿って延びる軸であって前記筐体に対して不動な第１の軸を中心として回転可能であり、前記第１の軸が一端部に位置し、前記保持部に他端部が接続された第１接続部と、
前記視認者から見て左右方向に沿って延びる軸であって前記筐体に対して不動な第２の軸を中心として回転可能であり、前記第２の軸が一端部に位置し、前記保持部に他端部が接続された第２接続部と、を備え、
前記第１接続部を駆動力が与えられることで駆動する駆動節とし、前記第２接続部を従動節とし、前記保持部を中間節とし、前記第１の軸の中心と前記第２の軸の中心とを結ぶ節を固定節とした４節リンク機構によって、前記コンバイナを前記筐体から突出した突出状態から前記筐体内に収納された収納状態に至るまで移動させることができ、
前記第１接続部と前記第２接続部と前記保持部とのうち少なくとも一つと前記筐体に対して不動な部分とを連結し、連結された対象を復元力によって引っ張る弾性部材が設けられ、
前記駆動力によって前記コンバイナを前記収納状態から前記突出状態に遷移させ、
前記復元力によって前記コンバイナを前記突出状態から前記収納状態に遷移させる、
ことを特徴とするコンバイナ収納装置。
【請求項２】
前記第１接続部に当接し、前記視認者から見て前後方向に移動する移動体をさらに備え、
前記移動体によって、前記第１接続部に前記駆動力が与えられる、
ことを特徴とする請求項１に記載のコンバイナ収納装置。
【請求項３】
前記第１接続部と前記移動体とでカム機構を構成し、
前記第１接続部の前記移動体と当接する部分は、前記第１接続部の前記第１の軸を中心とした回転角を制御する、曲率が徐変する曲面を有する、
ことを特徴とする請求項２に記載のコンバイナ収納装置。
【請求項４】
請求項１乃至３のいずれか１項に記載のコンバイナ収納装置と、
前記表示光を出射する表示器と、前記コンバイナと、前記筐体と、を備える、
ことを特徴とするヘッドアップディスプレイ装置。
【発明の詳細な説明】
【技術分野】
【０００１】
本発明は、コンバイナ収納装置及びこれを備えるヘッドアップディスプレイ装置に関する。
【背景技術】
【０００２】
従来のヘッドアップディスプレイ装置に関するコンバイナ収納装置は、例えば、特許文献１に開示されるものがある。このようなコンバイナの収納装置は、コンバイナと、コンバイナを装着し、具備される駆動手段がラックに沿って直線状にスライドすることで動く可動サポートと、可動サポートに設けられる２つのピンを摺動可能に保持する第１のレールと、第２のレールとから主に構成されており、駆動手段がラックに沿って直線状にスライドすることで、可動サポートが第１のレール及び第２のレールに沿って摺動し、コンバイナをケース内に収納または突出させるものである。
【先行技術文献】
【特許文献】
【０００３】
【特許文献１】特表２００９−５１５７６８号公報
【発明の概要】
【発明が解決しようとする課題】
【０００４】
しかしながら、特許文献１記載のコンバイナの収納装置は、可動サポートに設けられた２つのピンを、２つのレールに沿って摺動させることで、コンバイナを動かしているため、２つのピンと２つのレールとの摺動がスムーズにいかず、片方のレールの摩擦力が増大してしまった場合、コンバイナが移動時にガタツいてしまうおそれがあった。さらに、コンバイナを突出させた突出状態またはコンバイナを収納させた収納状態などのコンバイナを一定の状態で保持されている際、コンバイナは、コンバイナが装着されたピンとレールとの係合、及び可動サポートに具備される駆動手段とラックとの係合、のみにより保持される構造であるため、振動によりコンバイナがガタついて異音が発生してしまうおそれがあった。
【０００５】
そこで本出願人は、特願２０１２−０７８１２１において、４節リンクを用い、駆動力によりコンバイナを収納状態にし、弾性部材の復元力（張力）によりコンバイナを突出状態にすることで、２つのレールによるコンバイナ移動構造を用いることなく、コンバイナ移動時のガタつきを抑制し、さらに４節リンクに駆動力及び復元力を常にかけておくことにより、コンバイナ移動時及びコンバイナ停止時において、振動によるガタつきを抑制したコンバイナの収納装置を開示している。
【０００６】
しかしながら、このようなコンバイナの収納装置では、コンバイナの収納時、弾性部材が延びた状態で保持されることとなる。多くの車両においては停止している時間が起動している時間よりも非常に長く、車両が停止している長い間、弾性部材が延びた状態で保持されることで、弾性部材自身及びそれに係合する部材に負担がかかり劣化につながるおそれがあった。
【０００７】
したがって、本発明は、上記問題を鑑みて、コンバイナ移動時のガタつきや振動によるガタつきを抑制しつつ、コンバイナ収納時に部品に負担のかからないコンバイナの収納装置及びヘッドアップディスプレイ装置を提供することを目的とする。
【課題を解決するための手段】
【０００８】
上記目的を達成するため、本発明の第１の観点に係るコンバイナ収納装置は、表示画像を表す表示光が到達する凹面を有するコンバイナによって前記表示光を集光して視認者に前記凹面側から前記表示画像を視認させるヘッドアップディスプレイ装置の筐体内に、前記コンバイナを収納可能とするコンバイナ収納装置であって、前記筐体に対して移動可能であって前記コンバイナを保持する保持部と、前記視認者から見て左右方向に沿って延びる軸であって前記筐体に対して不動な第１の軸を中心として回転可能であり、前記第１の軸が一端部に位置し、前記保持部に他端部が接続された第１接続部と、前記視認者から見て左右方向に沿って延びる軸であって前記筐体に対して不動な第２の軸を中心として回転可能であり、前記第２の軸が一端部に位置し、前記保持部に他端部が接続された第２接続部と、を備え、前記第１接続部を駆動力が与えられることで駆動する駆動節とし、前記第２接続部を従動節とし、前記保持部を中間節とし、前記第１の軸の中心と前記第２の軸の中心とを結ぶ節を固定節とした４節リンク機構によって、前記コンバイナを前記筐体から突出した突出状態から前記筐体内に収納された収納状態に至るまで移動させることができ、前記第１接続部と前記第２接続部と前記保持部とのうち少なくとも一つと前記筐体に対して不動な部分とを連結し、連結された対象を復元力によって引っ張る弾性部材が設けられ、前記駆動力によって前記コンバイナを前記収納状態から前記突出状態に遷移させ、前記復元力によって前記コンバイナを前記突出状態から前記収納状態に遷移させることを特徴とする。
【０００９】
上記目的を達成するため、本発明の第２の観点に係るヘッドアップディスプレイ装置は、前記コンバイナ収納装置と、前記表示光を出射する表示器と、前記コンバイナと、前記筐体と、を備える、ことを特徴とする。
【発明の効果】
【００１０】
本発明によれば、コンバイナ移動時のガタつきや振動によるガタつきを抑制しつつ、コンバイナ収納時に部品に負担のかからないコンバイナの収納装置及びヘッドアップディスプレイ装置を提供することができる。
【図面の簡単な説明】
【００１１】
【図１】本発明の一実施形態に係るＨＵＤ装置の斜視図である。
【図２】ＨＵＤ装置が備えるコンバイナ収納装置の概略斜視図である。
【図３】図２に示すコンバイナ収納装置のＡ−Ａ線概略断面図、且つ、−Ｘ軸方向側から見た側面図であり、（ａ）がコンバイナの突出状態を示した図であり、（ｂ）がコンバイナの収納状態を示した図である。
【図４】コンバイナ収納装置が有する４節リンク機構を説明するための模式図である。
【図５】電動機の分解斜視図である。
【図６】（ａ）及び（ｂ）は、コンバイナ収納装置の動作を説明するための図である。（ａ）は、コンバイナの収納状態を示した図であり、（ｂ）は、収納状態から突出状態に遷移する途中の状態を示した図である。
【図７】（ａ）及び（ｂ）は、コンバイナ収納装置の動作を説明するための図であり、コンバイナの突出状態を示した図である。
【図８】（ａ）及び（ｂ）は、蓋部の動作を説明するための図であり、（ａ）は蓋の閉状態を示した図であり、（ｂ）は、蓋の開状態を示した図である。
【発明を実施するための形態】
【００１２】
本発明のヘッドアップディスプレイ装置（以下、ＨＵＤ装置と記載）の一実施形態を、図面を参照して説明する。
【００１３】
ＨＵＤ装置１は、図１〜図３に示すように、筐体１０と、表示器２０と、回路基板３０と、コンバイナ４０と、駆動機構５０と、を備える。ＨＵＤ装置１は、例えば、車両のダッシュボードに配設され、運転者に、車速、走行距離等の車両情報を報知するものである。
また、コンバイナ収納装置２は、図２に示すように、コンバイナ４０及び駆動機構５０によって構成される。
【００１４】
なお、以下の説明では、ＨＵＤ装置１の構成を理解しやすくするため、ＨＵＤ装置１が表示する表示画像を視認する視認者Ｅ（図１参照）から見て、左右方向に沿う軸をＸ軸、上下方向に沿う軸をＹ軸、Ｘ軸及びＹ軸と直交する軸をＺ軸として、適宜、ＨＵＤ装置を構成する各部の説明を行う。また、Ｘ、Ｙ、及びＺ軸の各々の方向を示す矢印が向く方向を＋（プラス）方向、その逆方向を−（マイナス）方向とする。
【００１５】
筐体１０は、上ケース１１と、下ケース１２と、を備え、この上ケース１１と下ケース１２とが連結することで箱形状となり、この内部に、その他の各部である表示器２０〜駆動機構５０が収納される（なお、コンバイナ４０は、後述する収納状態の時に収納される）。
【００１６】
上ケース１１は、表示器２０からの表示光Ｌを外部に出射させる開口した出射口１１ａと、コンバイナ４０を後述する突出状態にさせる際に、必要な開口部１１ｂと、が形成される。開口部１１ｂは、出射口１１ａよりも前方（−Ｚ軸方向側）に位置する。突出状態におけるコンバイナ４０は、図１に示すように、開口部１１ｂから上方に突出するような格好となる。下ケース１２には、回路基板３０と駆動機構５０の後述する駆動機構用筐体５２とが所定の方法で固定されている。
【００１７】
筐体１０は、外部から内部への異物の侵入を極力防止するとともに、内部から外部への迷光（例えば、後述する表示光Ｌのうち不必要な光）が漏れることを防止するように構成されている。
【００１８】
表示器２０は、車速、走行距離等の車両情報を報知するための表示画像を表す表示光Ｌ（図１の一点鎖線矢印参照）を出射するものであり、例えば、液晶パネルとバックライト用光源から構成される透過型液晶ディスプレイ、又は自発光型ディスプレイから構成される。表示器２０は、筐体１０内の所定位置に固定される（例えば、上ケース１１に固定される）ことにより、図１及び図３に示すように、その表示光Ｌの出射側がコンバイナ４０の後述する凹面４０ａと対向するように配設されている。なお、図３では、コンバイナ収納装置２以外の構成要素を破線で表している。
【００１９】
回路基板３０は、ガラス繊維を含む樹脂等からなる板状の基材に、ＣＰＵ（Ｃｅｎｔｒａｌ  Ｐｒｏｃｅｓｓｉｎｇ  Ｕｎｉｔ）とＲＯＭ（Ｒｅａｄ  Ｏｎｌｙ  Ｍｅｍｏｒｙ）等の記憶部とを含むマイコン、グラフィックディスプレイコントローラー（ＧＤＣ）等から構成される制御部（図示せず）を実装したプリント回路板である。例えば、回路基板３０は、図３に示すように、表示器２０の下方に配設されている。回路基板３０と表示器２０とは、例えば、図示しないＦＰＣ（Ｆｌｅｘｉｂｌｅ  Ｐｒｉｎｔｅｄ  Ｃｉｒｃｕｉｔ）を介して導通接続されている。制御部は、車両ＥＣＵ（Ｅｌｅｃｔｒｏｎｉｃ  Ｃｏｎｔｒｏｌ  Ｕｎｉｔ）等の外部装置（図示せず）から通信ラインにより伝送される車両の状態情報を取得し、これに応じて表示器２０を駆動する（つまり、表示器２０に所定の表示画像を表示させる）。制御部の制御の下、表示器２０が表示光Ｌを出射すると、出射した表示光Ｌは、出射口１１ａを通過してコンバイナ４０に向かう。
【００２０】
コンバイナ４０は、曲面を有する板状のハーフミラー、ホログラム素子等により構成されている。コンバイナ４０は、駆動機構５０により、表示光Ｌによる表示画像を視認者Ｅが正視することができる状態（以下、「突出状態」という）から、筐体１０内部に収納された状態（以下、「収納状態」という）まで、移動される。突出状態におけるコンバイナ４０は、図１及び図３に示すように、筐体１０（上ケース１１）から上方に突出するような格好となる。突出状態におけるコンバイナ４０は、その凹面４０ａ（概ね＋Ｚ軸方向に向いている）で、表示器２０が出射した表示光Ｌを受け、入射した表示光Ｌの光路を変更する（コンバイナ４０としてハーフミラーを用いる場合は反射により表示光Ｌの光路を変更し、ホログラム素子を用いる場合は回折により表示光Ｌの光路を変更する）。コンバイナ４０の凹面４０ａは、表示光Ｌを集光する機能を有し、光を単純反射させる場合よりも、虚像を前遠方（例えば、コンバイナ４０より約１ｍ前方）に形成することのできる曲面として構成されている。コンバイナ４０は、その前方位置Ｆに表示画像の虚像を形成するとともに、前方からの光を透過し、これにより、ＨＵＤ装置１は、虚像と前方に実際に存在する外景等の双方を、視認者Ｅに視認させることができる。
【００２１】
駆動機構５０は、コンバイナ４０を「突出状態」から「収納状態」の間で移動させる機構であり、図２、図３等に示すように、ホルダ５１と、駆動機構用筐体５２と、第１接続部５３と、第２接続部５４と、スライダ５５と、第１弾性部材５６と、電動機５７と、を備える。また、駆動機構５０は、コンバイナ４０が突出状態にある際には、コンバイナ４０の角度調整の機能も有する。
【００２２】
ホルダ５１は、コンバイナ４０を保持するものであり、例えば、樹脂材料により形成されている。ホルダ５１は、図２に示すように、概ねＸ軸方向に延びる柱状の部材であり、ホルダ５１には、コンバイナ４０の一端部（突出状態における下端部）が固定される（例えば、図示しないネジ等によってホルダ５１にコンバイナ４０が取り付けられている）。また、ホルダ５１は、筐体１０（ないしは駆動機構用筐体５２）に対して移動する。どのように移動するかについては後述する。
【００２３】
駆動機構用筐体５２は、図２に示すように、＋Ｚ軸方向から見て略凹型の台状部材であり、所定の樹脂材料から形成されている。駆動機構用筐体５２は、下ケース１２に固定されており、筐体１０に対して不動となっている。
具体的には、駆動機構用筐体５２は、下ケース１２の底から所定の間隔を空けて位置する上底部５２０と、上底部５２０の左右両端部の各々から上方に立設する壁部５２１と、壁部５２１の上端部から、後述の４節リンク機構を覆うようにして概ね下方に向かって形成される取付部５２２と、から構成されている。取付部５２２が下ケース１２に所定の方法で取り付けられていることにより、駆動機構用筐体５２は、下ケース１２に固定されている。
【００２４】
第１接続部５３は、樹脂材料からなる棒状の部材であり、その一端部が駆動機構用筐体５２に保持され、他端部がホルダ５１に連結（接続）されている。
具体的には、第１接続部５３は、その一端部を貫き、Ｘ軸に平行な軸である第１の固定軸Ｐを中心として回転可能に駆動機構用筐体５２の一部（壁部５２１のうち−Ｘ軸方向に向く面を有する内側面部５２１ａ）に保持されている。これにより、第１接続部５３は、筐体１０（ないしは駆動機構用筐体５２）に対して不動な第１の固定軸Ｐを中心として、概ねＹ−Ｚ平面上で回転する。また、第１接続部５３は、その他端部を貫き、Ｘ軸に平行な軸である第１の支持軸Ｑを中心として、ホルダ５１を回転可能に支持している。
【００２５】
例えば、駆動機構用筐体５２の内側面部５２１ａには第１の固定軸Ｐに沿った凸部が形成され、第１接続部５３の一端部には凸部に対応する凹部が形成され、両者が連結することにより、第１接続部５３は、第１の固定軸Ｐを中心として回転可能になっている。無論、凹凸の関係は、逆の関係でもよい。
つまり、第１接続部５３は、第１の固定軸Ｐを中心とした関節（ジョイント）によって、駆動機構用筐体５２と連結しているともいえる。そして、この関節は、１自由度を持つ。また、第１の固定軸Ｐとともに、後述する４節リンク機構の各関節の中心となる軸Ｑ、Ｒ、Ｓについても、同様に、各部材を連結する関節が構成され、各々の軸を中心とした関節は、１自由度を持つ。さらに、第１弾性部材５６の両端部の各々に位置する軸Ｔ、Ｕについても同様に、これら軸を中心として関節が構成されている。よって、以下では、関節についての説明は省略する。なお、図３，４，６，７では、筐体１０（ないしは駆動機構用筐体５２）に対して不動な軸Ｐ、Ｓ、Ｔを黒丸で表し、筐体１０に対して移動する軸Ｑ、Ｒ、Ｕを白丸で表した。
【００２６】
また、突出状態における第１接続部５３の下側部分は、第１接続部５３の第１の固定軸Ｐを中心とした回転角を制御する、曲率が徐変する曲面を有するカム部Ｃ１となっている。このカム部Ｃ１と後述するスライダ５５の接触部Ｃ２とでカム機構が構成される。
具体的には、カム部Ｃ１の曲面形状のうち、第１の固定軸Ｐに近い部分に形成される凸曲面は、スライダ５５の移動距離あたりの第１接続部５３の回転角の割合が大きくなるように形成されており、主に、収納状態から突出状態（逆も同じ）に遷移させるための曲面として形成されている。一方、カム部Ｃ１の曲面形状のうち、前記凸曲面の隣りに位置する凹曲面（凸曲面よりも第１の固定軸Ｐの中心から離れる位置に形成されている）は、スライダ５５の移動距離あたりの第１接続部５３の回転が若干逆回転になるように形成されており、突出状態におけるコンバイナ４０の角度（例えば、コンバイナ４０の光軸とＺ軸とのなす角の角度）を微調整するための曲面として形成されている。
【００２７】
本実施形態では、以上のように形成されるカム部Ｃ１と接触部Ｃ２とからなるカム機構により、スライダ５５の移動という一つの動作に基づいて、コンバイナ４０を収納する／突出させる動作と、突出状態におけるコンバイナ４０の角度微調整動作を実現している。特許文献１に開示されたＨＵＤ装置では、コンバイナを移動する機構と、突出状態におけるコンバイナの角度を調整する機構とが別々の機構によって構成されており、構造が複雑であるため、使用頻度が多くなれば、故障に繋がるおそれがあった。しかし、本実施形態に係るＨＵＤ装置１は、カム機構により、コンバイナ４０の状態遷移制御と角度微調整制御を実現しているため、構造が簡潔であり、故障のリスクを低減することができる。また、部品点数の増大を抑え、製品コストを抑えることも可能となる。
【００２８】
第２接続部５４は、コンバイナ４０の突出状態において第１接続部５３よりも下方に（−Ｙ軸方向側）に位置する樹脂材料からなる棒状の部材であり、その一端部が駆動機構用筐体５２に保持され、他端部がホルダ５１に連結されている。
具体的には、第２接続部５４は、その一端部を貫き、Ｘ軸に平行な軸である第２の固定軸Ｓを中心として回転可能に駆動機構用筐体５２の一部（壁部５２１のうち−Ｘ軸方向に向く面を有する内側面部５２１ａ）に保持されている。これにより、第２接続部５４は、筐体１０（ないしは駆動機構用筐体５２）に対して不動な第２の固定軸Ｓを中心として、概ねＹ−Ｚ平面上で回転する。また、第２接続部５４は、その他端部を貫き、Ｘ軸に平行な軸である第２の支持軸Ｒを中心として、ホルダ５１を回転可能に支持している。
【００２９】
コンバイナ収納装置２は、図４に示すように、４節リンク機構によって、コンバイナ４０を突出状態から収納状態に至るまで移動可能とする。４節リンク機構は、固定節（固定リンク）と、固定節の両端に位置する関節（ジョイント）の一方に繋がり、駆動力が与えられる駆動節（駆動リンク）と、固定節の他方の関節に繋がり、駆動節と対向する従動節（従動リンク）と、駆動節と従動節とを結ぶ中間節（中間リンク）と、からなる機構として知られている。
これに対応させると、本実施形態に係るコンバイナ収納装置２が有する４節リンク機構は、駆動機構用筐体５２の一部（具体的には、第１の固定軸Ｐの中心と第２の固定軸Ｓの中心とを結ぶ節）が固定節として、第１接続部５３が駆動節として、第２接続部５４が従動節として、ホルダ５１が中間節として機能するように構成されている（図３，図４参照）。なお、軸Ｐ、Ｑ、Ｒ、Ｓの中心は、４節リンク機構を構成する各節のうち隣り合うもの同士の関節の中心となる。
このように構成される４節リンク機構では、第１接続部５３にスライダ５５によって駆動力が与えられ、この駆動力によってコンバイナ４０を収納状態から突出状態に遷移させ、第１弾性部材５６の復元力によってコンバイナ４０を突出状態から収納状態に遷移させる。具体的な動作は後に詳述する。
【００３０】
ここまでの説明では、コンバイナ収納装置２の左側面側（−Ｘ軸方向側）を参照して４節リンク機構を説明したが、コンバイナ収納装置２（ないしはＨＵＤ装置１）は、概ね左右対称に構成されており、その右側面側にも同様に、第１接続部、第２接続部等があり、４節リンク機構が構成されている。つまり、コンバイナ収納装置２は、コンバイナ４０の左右両側において同様に動作する４節リンク機構により、突出状態から収納状態に至るまでコンバイナ４０を移動させる。そのため、右側面側の４節リンク機構についての詳細は省略する。
【００３１】
スライダ５５は、電動機５７の動力によって、前後方向（概ねＺ軸方向に沿って）に移動する。スライダ５５の移動によって、コンバイナ４０を筐体１０の外に突出させるための力である第１駆動力Ｆ１（図３参照。）が、第１接続部５３に与えられる。
スライダ５５は、駆動機構用筐体５２の上底部５２０の上を前後方向に移動する板状の本体部５５０と、本体部５５０の左右側面部の各々から外側に突出する摺動部５５１と、摺動部５５１よりも外側に位置し、第１接続部５３と当接する接触部Ｃ２と、から構成される。
【００３２】
摺動部５５１は、例えば、高さ方向がＸ軸方向である円柱状の部材であり、含油性のポリアセタール（ＰＯＭ）樹脂等の摺動性樹脂からなる。摺動部５５１は、駆動機構用筐体５２の壁部５２１に設けられたガイド部５２１ｂ内を摺動する（図２では、右側の摺動部５５１及びガイド部５２１ｂのみ示したが、左側にも両者が同様に設けられている）。ガイド部５２１ｂは、例えば、壁部５２１に形成された、前後方向に延びる孔（Ｘ軸方向に壁部５２１を貫通する貫通孔）からなり、この孔の内部で摺動部５５１を摺動させる（円柱状の摺動部５５１の側面が、ガイド部５２１ｂを摺動する）。これにより、ガイド部５２１ｂは、スライダ５５を前後方向に案内する。
【００３３】
接触部Ｃ２は、円柱状の摺動部５５１の径よりも一回り大きい径を有する円板状の部材であり、例えば、摺動部５５１と一体的に形成されている（つまり、ＰＯＭ樹脂等により形成されている）。なお、摺動部５５１及び接触部Ｃ２を摺動するだけでなく、Ｘ軸回りに回転可能にしてもよい。
接触部Ｃ２は、ガイド部５２１ｂよりも外側、つまり、壁部５２１の内側面部５２１ａよりも外側に位置する。接触部Ｃ２は、第１接続部５３と当接しており、スライダ５５の移動に伴って、第１接続部５３に、第１の固定軸Ｐ周りに回転する力を与える。具体的には、スライダ５５が前進すると（−Ｚ軸方向に移動すると）、接触部Ｃ２は、第１接続部５３を時計回り（ＣＷ： Clock Wise）に回転させる。第１接続部５３が時計周りに回転すると、４節リンク機構は、コンバイナ４０を筐体１０の外部に突出する方向に移動させる（突出状態に遷移する方向に移動させる）。
一方、スライダ５５が後退すると（＋Ｚ軸方向に移動すると）、第１弾性部材５６の弾性力によって４節リンク機構は動作し、結果として、第１接続部５３は（第２接続部５４も同じ）、反時計回り（ＣＣＷ：Counter Clock Wise）に回転する。このようにＣＣＷに回転すると、４節リンク機構は、コンバイナ４０を筐体１０の内部に収納させる方向に移動させる（収納状態に遷移する方向に移動させる）。
【００３４】
第１弾性部材５６は、４節リンク機構に、第１復元力Ｆ２（図３参照）によってコンバイナ４０を突出状態から収納状態に遷移させるための力を与えるものであり、例えば、金属性のばねからなる。第１弾性部材５６は、第２接続部５４と、筐体１０に対して不動な部分（例えば、駆動機構用筐体５２の内側面部５２１ａ）と、を連結し、連結された対象（つまり、第２接続部５４）を第１復元力Ｆ２によって引っ張る。
【００３５】
具体的には、第１弾性部材５６は、その一端部を貫きＸ軸に平行な軸である第１の連結軸Ｔ周りに回転可能に、且つ、他端部を貫きＸ軸に平行な軸である第２の連結軸Ｕ周りに回転可能に、保持されている。第１の連結軸Ｔは、筐体１０に対して不動な軸であり、第２の連結軸Ｕは、第２接続部５４に対して不動な軸（つまり、筐体１０に対しては移動する軸）である。そして、第１弾性部材５６は、その第１復元力Ｆ２により、第１の連結軸Ｔの中心を基準とすれば、第２の連結軸Ｕの中心から第１の連結軸Ｔの中心に向かう方向に、第２接続部５４を引っ張っている。
特に、第１弾性部材５６の第２の連結軸Ｕが位置する端部は、第２の固定軸Ｓを中心として、第１復元力Ｆ２により、第２接続部５４をＣＣＷ方向に回転させることができる部分と連結されている。具体的には、第２接続部５４には、コンバイナ４０の突出状態において、第２の固定軸Ｓ中心から上方に突出する突出部５４０が形成されており、この突出部５４０に、第１弾性部材５６の第２の連結軸Ｕが位置する端部が連結している。このようにして、第１弾性部材５６の第１復元力Ｆ２は、本実施形態に係る４節リンク機構に、コンバイナ４０を収納状態にさせるための力を与える。
【００３６】
なお、図２に示すように、第１弾性部材５６の第２の連結軸Ｕ側の端部の近傍には、第２接続部５４が、急激に回転しないように（つまり、４節リンク機構が急激に動作しないように）、動作を適度に抑制するロータリーダンパー６０が設けられている（図２以外の図では省略した）。また、駆動機構用筐体５２の取付部５２２には、装置の軽量化や、４節リンク機構等を組み付けしやすくするための切り欠き５２２ａが設けられている。
【００３７】
電動機５７は、スライダ５５に前後方向に移動するための動力を与えるアクチュエーターであり、駆動機構用筐体５２の上底部５２０の下面側（−Ｙ軸方向側）に取り付けられている。電動機５７は、図示しないＦＰＣ等により、回路基板３０と導通接続され、前記制御部の制御の下、第１ギヤＧ１を回転させる。電動機５７の駆動軸は、例えば、＋Ｘ軸方向に向いており、Ｘ軸回りに回転する。
【００３８】
電動機５７は、図５に示すように、モーター５７０と、第１歯車５７１と、第２歯車５７２と、第１歯車５７１と第２歯車５７２との間に配設される防振部材５７３と、駆動軸５７４ａと取付部５７４ｂとを有する電動機筐体５７４、とを備える。これら第１歯車５７１と第２歯車５７２と防振部材５７３とを、駆動軸５７４ａを中心にＹ軸方向に積み重ね、それぞれに設けられた切り欠き部及び突出部を締結することにより、１つのはすば歯車（第１ギヤＧ１）を形成する。このようにモーター５７０と締結する第１歯車５７１と、第２ギヤＧ２に締結する第２歯車５７２との間に、弾性部材からなる防振部材５７３を介在させることでモーター５７０が駆動した際のモーター５７０からの振動により、第１ギヤＧ１、第２ギヤＧ２間で異音などが発生してしまうのを防止することができ、さらに、第２ギヤＧ２からの振動がモーター５７０に伝達されにくくなるため、モーター５７０への振動などの衝撃を抑制することができる。また、電動機５７を駆動機構用筐体５２の上底部５２０の下面側に取り付ける際に、緩衝部材からなるねじ穴を有する取付部５７４ｂを設けることにより、電動機５７及び駆動機構用筐体５２間での振動の伝達及びそれに起因する異音などを抑制することができる。また、第１ギヤＧ１の図２中左側には、第１ギヤＧ１と締結する第２ギヤＧ２（概ねＹ軸方向に回転軸が向く）が配設されている。スライダ５５は、本体部５５０の裏面側に、第２ギヤＧ２と締結するギヤ（図示せず）を有し、ており、第２ギヤＧ２が回転すると、前後方向に移動する。なお、図２では、第１ギヤＧ１、第２ギヤＧ２が有する複数の歯を省略して表した。
【００３９】
このような機構により、モーター５７０の回転動力が、第１ギヤＧ１、第２ギヤＧ２等を介して、スライダ５５に伝達され、スライダ５５は、前後方向に移動する。
なお、動機構用筐体５２の所定の部分には、位置検出手段（図示せず）が配設されており、これにより、コンバイナ４０が突出状態にあるか収納状態にあるかを検出できるようになっている。位置検出手段は、スライダ５５の前後方向の位置を検出するリニアポテンショメータ、第１接続部５３の第１の固定軸Ｐ回りの回転角度や、第２接続部５４の第２の固定軸Ｓ回りの回転角度を検出するロータリーポテンショメータ等であり、例えば、回路基板３０と接続され、所定の位置にスライダ５５が位置した場合等に、その情報を示す検出信号を制御部に供給する。制御部は、この検出信号に基づいて、コンバイナ４０が突出状態にあるか収納状態にあるかを判別する。
【００４０】
次に、図６（ａ）（ｂ）、図７（ａ）（ｂ）を参照して、コンバイナ収納装置２（ないしはＨＵＤ装置１）がコンバイナ４０をどのように移動させるかを説明する。以下では、コンバイナ４０が収納状態からどのように突出状態に遷移するかについて主に説明する。
【００４１】
例えば、車両のダッシュボートに搭載された所定の機器には、「ＯＮ／ＯＦＦ」と記されたボタン等を有する操作部が設けられており、ユーザ（通常、視認者Ｅ）が、このボタンを押下すると、ユーザ操作がなされたことを示す操作信号が前記制御部に供給される。制御部は、操作信号を取得し、現在、コンバイナ４０が収納状態にある場合には、突出状態に遷移させるための制御を実行する。具体的には、制御部は、電動機５７に動作を開始する旨の制御信号を供給する。これに応じて、電動機５７は、駆動軸を一定の速度で回転させる。すると、第１ギヤＧ１、第２ギヤＧ２等を介して、電動機５７の回転動力は、スライダ５５を前方向に移動させるための動力に変換され、スライダ５５は、前方に移動する。このようにして、ＨＵＤ装置１は、図６（ａ）の収納状態から、図６（ｂ）に示すような状態へと遷移する。
【００４２】
スライダ５５が前方向に移動すると、接触部Ｃ２は、第１接続部５３のカム部Ｃ１の凸曲面上を、第１の固定軸Ｐ中心から離れるように移動する（摺動及び／又は回転移動）。このように移動すると、第１接続部５３は、第１の固定軸Ｐを中心に、第２接続部５４は、第２の固定軸Ｓを中心に回動する（図６（ｂ）参照）。この際、第１弾性部材５６は、縮んだ状態から伸びる。
なお、ホルダ５１を支持する第１の支持軸Ｑと第２の支持軸Ｒとは、コンバイナ４０が移動する際に、上ケース１１の開口部１１ｂを通過できるように、調整されている。また、収納状態において開口部１１ｂを塞ぐ蓋部６０（後述する）を設け、コンバイナ４０が突出状態に遷移する際に、この蓋部６０がコンバイナ収納装置２の４節リンク機構に追従して開くようする。このようにすれば、収納状態において、筐体１０内にゴミ等の異物が入ることなく、故障のリスクを低減することが可能である。
【００４３】
接触部Ｃ２が、カム部Ｃ１の凸曲面上の所定の部分（例えば、凸曲面の頂部）に位置すると、前記位置検出手段は、コンバイナ４０が突出状態に遷移したことを示す検出信号を制御部に供給する。検出信号を取得した制御部は、電動機５７の動作を停止させる。これにより、ＨＵＤ装置１は、図７（ａ）に示す突出状態となる。
【００４４】
図７（ａ）に示す突出状態において、コンバイナ４０の角度を微調整する場合について説明する。例えば、前記操作部として「ＯＮ／ＯＦＦ」と記されたボタンの他、「角度調整」と記されたボタンが設けられており、このボタンを押下し続けると、カム部Ｃ１の凹曲面上を接触部Ｃ２が前後に移動を繰り返す。
具体的には、「角度調整」のボタンが押下し続けられている間は、制御部は、電動機５７を駆動し続ける。例えば、図７（ｂ）に示す状態に接触部Ｃ２が位置すると、前記位置検出手段は、この位置を示す検出信号を制御部に供給し、これに応じた制御部は、電動機５７を、図７（ａ）から図７（ｂ）の状態に遷移する際の駆動軸の回転とは、逆方向に回転させる。すると、接触部Ｃ２は、後退していき、図７（ａ）に示す状態に再度接触部Ｃ２が位置すると、前記位置検出手段は、この位置を示す検出信号を制御部に供給し、これに応じた制御部は、電動機５７の駆動軸の回転を元に戻す。例えば、このような制御をボタンが押下されている間は続けることにより、ユーザは、コンバイナ４０が所望の角度になった場合にボタンから指を離せば、コンバイナ４０の角度を適切に調整することができる。
【００４５】
なお、ＨＵＤ装置１が、図７（ａ）に示す状態から図７（ｂ）に示す状態になる際には、接触部Ｃ２が前方に移動しても（スライダ５５が前方に移動しても）、カム部Ｃ２の凹曲面により、第１接続部５３は、第１の固定軸Ｐを中心に若干ＣＣＷ方向に回転し、一方、第２接続部５４は、第１復元力Ｆ２により、第２接続部５４を第２の固定軸Ｓを中心にＣＣＷ方向に回転させ、これによって、第２接続部５４は、後方に（＋Ｚ軸方向に）引き戻されるようになり、コンバイナ４０は、反時計回りに傾斜する。このようにして、突出状態でのコンバイナ４０の角度が微調整可能となる。
【００４６】
なお、コンバイナ４０が突出状態から収納状態へと遷移する際は、ＨＵＤ装置１（ないしは、コンバイナ収納装置２）は、以上の説明とは逆の動作をすることになる。以下に、蓋部６０について図８を用いて説明する。図８（ａ）は蓋部６０の「閉状態」を示した図であり、図８（ｂ）は蓋部６０の「開状態」を示した図である。
【００４７】
蓋部６０は、図８（ａ）に示すように、蓋６１と、この蓋６１を「開状態」から「閉状態」の間で遷移させる蓋開閉機構をなす第３接続部６２と、第４接続部６３と、第２弾性部材６４と、補助体６５と、押し下げ部６６と、から構成される。
【００４８】
蓋６１は、開口部１１ｂを塞ぐものであり、例えば、樹脂材料により形成されている。蓋６１は、閉状態において概ねＸＺ平面に伸びる板状であり、後述する第３接続部６２と第４接続部６３に保持され、これら第３接続部６２、第４接続部６３の回動に基づき、筐体１０（ないしは駆動機構用筐体５２）に対して移動する。
【００４９】
第３接続部６２は、樹脂材料からなる棒状の部材であり、その一端部が駆動機構用筐体５２に保持され、他端部が蓋６１に連結（接続）されている。
具体的には、第３接続部６２は、その一端部を貫き、Ｘ軸に平行な軸である第３の固定軸ＨＰを中心として回転可能に駆動機構用筐体５２の一部（壁部５２１のうち−Ｘ軸方向に向く面を有する内側面部５２１ａ）に保持されている。これにより、第３接続部６２は、筐体１０（ないしは駆動機構用筐体５２）に対して不動な第３の固定軸ＨＰを中心として、概ねＹ−Ｚ平面上で回転する。また、第３接続部６２は、その他端部を貫き、Ｘ軸に平行な軸である第３の支持軸ＨＱを中心として、ホルダ５１を回転可能に支持している。また、第３接続部６２は、後述する押し下げ部６６の突出部６６ａが引っ掛かるような凹部６２ａを、第３の固定軸ＨＰ近傍の押し下げ部６６と面する位置に形成する。第３接続部６２は、凹部６２ａが、押し下げ部６６の突出部６６ａから第２駆動力Ｆ３により押し下げられることにより、第３の固定軸ＨＰを中心にＣＷ方向に回動する（蓋６１を閉状態に遷移させる）。また、第３接続部６２は、図８（ａ）の状態で、押し下げ部６６が第１の固定軸Ｐを中心にＣＣＷ方向に回動することにより、突出部６６ａが第３接続部６２の凹部６２ａを蹴り上げられ、これを契機に第３の固定軸ＨＰを中心にＣＣＷ方向に回動する（蓋６１を開状態に遷移させる）。
【００５０】
例えば、駆動機構用筐体５２の内側面部５２１ａには第３の固定軸ＨＰに沿った凸部が形成され、第３接続部６２の一端部には凸部に対応する凹部が形成され、両者が連結することにより、第３接続部６２は、第３の固定軸ＨＰを中心として回転可能になっている。無論、凹凸の関係は、逆の関係でもよい。つまり、第３接続部６２は、第３の固定軸ＨＰを中心とした関節（ジョイント）によって、駆動機構用筐体５２と連結しているともいえる。そして、この関節は、１自由度を持つ。また、第３の固定軸ＨＰとともに、４節リンク機構の各関節の中心となる軸ＨＱ、ＨＲ、ＨＳについても、同様に、各部材を連結する関節が構成され、各々の軸を中心とした関節は、１自由度を持つ。さらに、第２弾性部材６４の両端部の各々に位置する第３の連結軸ＨＴ、ＨＵについても同様に、これら軸を中心として関節が構成されている。なお、図８では、筐体１０（ないしは駆動機構用筐体５２）に対して不動な固定軸ＨＰ、ＨＳ、ＨＵ及びＨＶを黒丸で表し、筐体１０に対して移動する支持軸ＨＱ、ＨＲ、ＨＴ及びＨＷを白丸で表した。
【００５１】
第４接続部６３は、蓋６１の開状態及び閉状態において、第３接続部６２と交差する樹脂材料からなる棒状の部材であり、その一端部が駆動機構用筐体５２に保持され、他端部が蓋６１に連結されている。
具体的には、第４接続部６３は、その一端部を貫き、Ｘ軸に平行な軸である第４の固定軸ＨＳを中心として回転可能に筐体１０に対して不動な部分（例えば、駆動機構用筐体５２を構成する取付部５２２のうち＋Ｘ軸方向に向く面を有する内側面部（図示せず））に保持されている。これにより、第４接続部６３は、筐体１０（ないしは駆動機構用筐体５２）に対して不動な第４の固定軸ＨＳを中心として、概ねＹ−Ｚ平面上で回転する。また、第４接続部６３は、その他端部を貫き、Ｘ軸に平行な軸である支持軸ＨＲを中心として、蓋６１を回転可能に支持している。
【００５２】
第２弾性部材６４は、４節リンク機構を用い、第２復元力Ｆ４（図８参照）によって蓋６１を開状態から閉状態に遷移させるための力を与えるものであり、例えば、金属性のばねからなる。第２弾性部材６４は、第４接続部６３と、補助体６５と、を連結し、連結された対象（つまり、第４接続部６３）を第２復元力Ｆ４によって引っ張る。
【００５３】
具体的には、第２弾性部材６４は、その一端部を貫きＸ軸に平行な軸である第３の連結軸ＨＴ周りに回転可能に、且つ、他端部を貫きＸ軸に平行な軸である第４の連結軸ＨＵ周りに回転可能に、保持されている。第３の連結軸ＨＴは、後述する補助体６５に対して不動な軸（つまり、筐体１０に対しては移動する軸）であり、第４の連結軸ＨＵは、第４接続部６３に対して不動な軸（つまり、筐体１０に対しては移動する軸）である。そして、第２弾性部材６４は、その第２復元力Ｆ４により、第３の連結軸ＨＴの中心を基準とすれば、第４の連結軸ＨＵの中心から第３の連結軸ＨＴの中心に向かう方向に、第４接続部６３を引っ張っている。
特に、第２弾性部材６４の第４の連結軸ＨＵが位置する箇所は、第４の固定軸ＨＳを中心として、第２復元力Ｆ４により、第４接続部６３をＣＣＷ方向に回転させることができる部分と連結されている。
【００５４】
補助体６５は、樹脂材料からなる鉤形状の部材であり、その一端部が駆動機構用筐体５２に保持され、駆動機構用筐体５２の壁部５２１に設けられた第２ガイド部５２１ｃに摺動可能に保持され、補助体６５の鉤形状の先端が第２弾性部材６４を連結し、さらに、図示しない第３弾性部材と所定箇所で連結する。
具体的には、補助体６５は、その一端部を貫き、Ｘ軸に平行な軸である第５の固定軸ＨＶを中心として回転可能に駆動機構用筐体５２の一部（壁部５２１のうち−Ｘ軸方向に向く面を有する内側面部５２１ａ）に保持される。また、補助体６５は、他端部を貫き、Ｘ軸に平行な軸である摺動軸ＨＷを駆動機構用筐体５２の壁部５２１に設けられた第２ガイド部５２１ｃに摺動可能に保持される。また、補助体６５は、Ｘ軸に平行な所定軸において、図示しない第３弾性部材に連結され、常に第３弾性部材により第５の固定軸ＨＶを中心にＣＷ方向に回動するような復元力がかかるように構成される。
すなわち、補助体６５は、摺動軸ＨＷ付近にかかる接触部Ｃ２（図８（ａ）において図示しない）の第３駆動力Ｆ５により、筐体１０（ないしは駆動機構用筐体５２）に対して不動な第５の固定軸ＨＶを中心として、概ねＹ−Ｚ平面上でＣＣＷ方向に回転し、摺動軸ＨＷは第２ガイド部５２１ｃに沿って−Ｚ軸方向に摺動する。これにより第３の連結軸ＨＴが第５の固定軸ＨＶを中心に回転し、第４接続部６３にかかる第２弾性部材６４による第２復元力Ｆ４の方向を変化させる。
また、図８（ｂ）（蓋６１が開状態）の状態において、接触部Ｃ２が＋Ｚ方向に移動すると、補助体６５は、第３弾性部材（図示しない）の復元力により、第５の固定軸ＨＶを中心にＣＷ方向に回動し、摺動軸ＨＷは第２ガイド部５２１ｃに沿って＋Ｚ軸方向に摺動する。これにより第３の連結軸ＨＴが第５の固定軸ＨＶを中心に回転し、第４接続部６３にかかる第２弾性部材６４による第２復元力Ｆ４の方向を変化させる。
【００５５】
押し下げ部６６は、樹脂材料からなり、上述した第１接続部５３の回動に連動して第１の固定軸Ｐを中心に回転するものであり、突出した突出部６６ａを有する。第１接続部５３がＣＣＷ方向に回動することにより、突出部６６ａが第３接続部６２の凹部６２ａに係合し、第３接続部６３を第３の固定軸ＨＰを中心にＣＷ方向に回動させることができ、これにより蓋６１が閉状態となる。また、図８（ａ）（蓋６１が閉状態）の状態において、第１接続部５３がＣＷ方向に回動することにより、突出部６６ａが第３接続部６２の凹部６２ａを蹴り上げ、これを契機に、第３の接続部６２が第３の固定軸ＨＰを中心にＣＣＷ方向に回動する（蓋６１を開状態に遷移させる）。
【００５６】
蓋部６０は、図８に示すように、４節リンク機構によって、蓋６１を開状態から閉状態に至るまで移動可能とする。本実施形態に係る蓋部６０が有する４節リンク機構は、駆動機構用筐体５２の一部（具体的には、第３の固定軸ＨＰの中心と第４の固定軸ＨＳの中心とを結ぶ節）が固定節として、第４接続部６３が駆動節として、第３接続部６２が従動節として、蓋６１が中間節として機能するように構成されている（図４，図８参照）。
このように構成される蓋部６０の４節リンク機構では、コンバイナ収納装置２のコンバイナ４０の突出収納動作に基づき、押し下げ部６６が回動し、この押し下げ部６６が回動することで、蓋部６０の４節リンク機構の第３の接続部６２が回動し、これにより蓋６１が開状態または閉状態の間で遷移する。
図８（ａ）の状態において、コンバイナ収納装置２がコンバイナ４０を突出状態にする際、押し下げ部６６が第１の固定軸Ｐを中心にＣＷ方向に回動し、これにより第３の接続部６２の凹部６２ａが押し下げ部６６の突出部６６ａに蹴り上げられ、これを契機に第４の接続部６３が、第２弾性部材６４の第２復元力Ｆ４により、第４の固定軸ＨＳを中心にＣＣＷ方向に回動する（蓋６１が開状態になる）。
また、図８（ｂ）の状態において、コンバイナ収納装置２がコンバイナ４０を収納状態にする際、押し下げ部６６が第１の固定軸Ｐを中心にＣＣＷ方向に回動し、これに基づき第３の接続部６２の凹部６２ａが押し下げ部６６の突出部６６ａに押し下げられ、第３の接続部６２が、押し下げ部６６からの第２駆動力Ｆ３により、第３の固定軸ＨＰを中心にＣＷ方向に回動する（蓋６１が閉状態になる）。
【００５７】
ここまでの説明では、左側面側（−Ｘ軸方向側）を参照して蓋部６０の４節リンク機構を説明したが、コンバイナ収納装置２（ないしはＨＵＤ装置１）は、概ね左右対称に構成されており、その右側面側にも同様に、第３接続部、第４接続部等があり、４節リンク機構が構成されている。つまり、蓋部６０は、蓋６１の左右両側において同様に動作する４節リンク機構により、開状態から閉状態に至るまで蓋６１を移動させる。そのため、右側面側の蓋部６０の４節リンク機構についての詳細は省略する。
【００５８】
以上の構成からなるコンバイナ収納装置２は、表示画像を表す表示光Ｌが到達する凹面４０ａを有するコンバイナ４０によって表示光Ｌを集光して視認者Ｅに凹面４０ａ側から前記表示画像を視認させるヘッドアップディスプレイ装置１の筐体１０内に、コンバイナ４０を収納可能とするコンバイナ収納装置２であって、筐体１０に対して移動可能であってコンバイナ４０を保持するホルダ５１（保持部の一例）と、視認者Ｅから見て左右方向に沿って延びる軸であって筐体１０に対して不動な第１の固定軸Ｐを中心として回転可能であり、第１の固定軸Ｐが一端部に位置し、ホルダ５１に他端部が接続された第１接続部５３と、視認者Ｅから見て左右方向に沿って延びる軸であって筐体１０に対して不動な第２の固定軸Ｓを中心として回転可能であり、第２の固定軸Ｓが一端部に位置し、ホルダ５１に他端部が接続された第２接続部５４と、を備え、第１接続部５３を第１駆動力Ｆ１が与えられることで駆動する駆動節とし、第２接続部５４を従動節とし、ホルダ５１を中間節とし、第１の固定軸Ｐと第２の固定軸Ｓとを結ぶ節を固定節とした４節リンク機構によって、コンバイナ４０を筐体１０から突出した突出状態から筐体１０内に収納された収納状態に至るまで移動させることができ、第２接続部５４（第１接続部５３と第２接続部５４とホルダ５１とのうち少なくとも一つ、の一例）と筐体１０に対して不動な部分とを連結し、第２接続部５４（連結された対象）を第１復元力Ｆ２によって引っ張る第１弾性部材５６が設けられ、前記駆動力と前記復元力とのうち、一方の力によって前記コンバイナを前記突出状態から前記収納状態に遷移させ、他方の力によって前記コンバイナを前記収納状態から前記突出状態に遷移させる。
これによれば、コンバイナ収納装置２に振動が与えられても、第１弾性部材５６の弾性力によって、常に振動を良好に吸収でき、駆動機構５０にかかる不要なストレスを極力抑制することができるため、コンバイナ４０の駆動機構５０が破損しづらい。また、駆動力がかかる接続部と、復元力がかかる接続部とを異ならせているため、双方の接続部（第１接続部５３及び第２接続部５４）に、常に第１駆動力Ｆ１または第１復元力Ｆ２がかかっているので、常に振動を良好に吸収でき、駆動機構５０にかかる不要なストレスを極力抑制することができるため、コンバイナ４０の駆動機構５０が破損しづらい。また、コンバイナ４０の収納状態において、第１弾性部材５６が伸びた状態とならないため、第１弾性部材５６自身及びそれに係合する部材にかかる負担を軽減することができる。
【００５９】
また、コンバイナ収納装置２は、第１接続部５３に当接し、視認者Ｅから見て前後方向に移動する接触部Ｃ２（ないしはスライダ５５；移動体の一例）をさらに備え、接触部Ｃ２が後方に移動することによって、第１接続部５３に第１駆動力Ｆ１が与えられる。
【００６０】
また、コンバイナ収納装置２は、第１接続部５３と接触部Ｃ２とでカム機構を構成し、第１接続部５３の接触部Ｃ２と当接する部分（カム部Ｃ１）は、第１接続部５３の第１の固定軸Ｐを中心とした回転角を制御する、曲率が徐変する曲面を有する。
前述したように、コンバイナ収納装置２では、カム機構により、コンバイナ４０の状態遷移制御と角度微調整制御を実現しているため、構造が簡潔であり、故障のリスクを低減することができる。また、部品点数の増大を抑え、製品コストを抑えることも可能となる。
【００６１】
また、電動機５７において、モーター５７０と締結する第１歯車５７１と、第２ギヤＧ２に締結する第２歯車５７２との間に、弾性部材からなる防振部材５７３を介在させることでモーター５７０が駆動した際のモーター５７０からの振動により、第１ギヤＧ１、第２ギヤＧ２間で異音などが発生してしまうのを防止することができ、さらに、第２ギヤＧ２からの振動がモーター５７０に伝達されにくくなるため、モーター５７０への振動などの衝撃を抑制することができ、電動機５７の故障のリスクを低減することができる。
【００６２】
また、ＨＵＤ装置１は、コンバイナ収納装置２と、表示光Ｌを出射する表示器２０と、コンバイナ４０と、筐体１０と、を備える。
【００６３】
（変形例）
なお、本発明は上記実施形態及び図面によって限定されるものではない。上記実施形態及び図面に変更（構成要素の削除も含む）を加えることができるのはもちろんである。
【００６４】
以上の説明では、表示器２０とコンバイナ４０が対向する配置例を示したがこれに限られない。例えば、表示器２０を＋Ｚ軸方向側に表示光Ｌを出射するように配置し、所定の反射部材により、光路を折り返して、表示光Ｌをコンバイナ４０に到達させてもよい。
【００６５】
以上の説明では、第１弾性部材５６が第２接続部５４を引っ張る例を示したが、代わりに、第１接続部５３を引っ張る弾性部材を設けたり、ホルダ５１を斜め上方に引っ張る弾性部材を設けたりすることも可能である。
【００６６】
以上の説明では、電動機５７として、駆動軸の回転速度が一定のモータを用いた例を示したが、これに限られない。電動機５７は、サーボモータや、ステッピングモータであってもよい。これらのモータで、駆動軸の回転角を制御すれば、カム機構を用いなくとも、スライダ５５の移動速度調整や、コンバイナ４０の角度微調整が可能である。但し、制御を簡潔にしたい場合は、カム機構を用いた方がより良い。
【００６７】
以上の説明では、ＨＵＤ装置１（ないしは、コンバイナ収納装置２）を設置する乗り物の一例を車両としたが、これに限られない。ＨＵＤ装置１を船舶、航空機等のその他の乗り物の運転席付近に設置することもできる。さらには、乗り物の運転席付近に設置するものに限らず、室内に設置する卓上インテリア等に適用することも可能である。
【００６８】
以上の説明では、本発明の理解を容易にするために、重要でない公知の技術的事項の説明を適宜省略した。
【符号の説明】
【００６９】
１    ＨＵＤ装置
２    コンバイナ収納装置
１０    筐体
２０    表示器
３０    回路基板
４０    コンバイナ
５０    駆動機構
５１    ホルダ
５２    駆動機構用筐体
５３    第１接続部
Ｃ１    カム部
Ｐ    第１の固定軸
Ｑ    第１の支持軸
５４    第２接続部
Ｓ    第２の固定軸
Ｒ    第２の支持軸
５５    スライダ
Ｃ２    接触部
５６    弾性部材
Ｔ    第１の連結軸
Ｕ    第２の連結軸
５７    電動機
６０    蓋部
【図１】
2014125131.tif 000003
【図２】
2014125131.tif 000004
【図３】
2014125131.tif 000005
【図４】
2014125131.tif 000006
【図５】
2014125131.tif 000007
【図６】
2014125131.tif 000008
【図７】
2014125131.tif 000009
【図８】
2014125131.tif 000010